(57)【要約】【課題】ＩＤカードの再発行処理の効率が低下することなく、且つ、不正なＩＤカードの再発行を防止することができるＩＤカード再発行システムを提供する。【解決手段】撮影装置２とＩＤカード作成装置３と記憶サーバ１１を接続するホストコンピュータ１とを備えるＩＤカード再発行システム１０００において、ＣＰＵ２１１に、記憶サーバ１１を接続するホストコンピュータ１から送信された第１の顔画像と、撮影装置２により撮影されたＩＤカードの再発行を申請した申請者の第２の顔画像と、を比較させて、ＩＤカードの再発行を申請した申請者が本人であるか否かを判定させる判定プログラム２１３２と、当該判定結果に基づいて、本人であると判定された申請者が提出した申請書と、本人でないと判定された申請者が提出した申請書と、を識別可能に加工する申請書加工装置２４と、を備えるよう構成した。【選択図】図１
2006334986.tif 000002
【特許請求の範囲】
【請求項１】
ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、
前記撮影装置は、
前記ＩＤカードの再発行を申請した申請者が提出した申請書から、当該申請者の識別情報を読み取る読取手段と、
前記記憶装置に、前記読取手段により読み取られた識別情報に対応付けられた第１の顔画像を送信するよう要求する要求手段と、
前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、
前記判定手段による判定結果に基づいて、本人であると判定された申請者が提出した申請書と、本人でないと判定された申請者が提出した申請書と、を識別可能に加工する加工手段と、
を備えることを特徴とするＩＤカード再発行システム。
【請求項２】
ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、
前記撮影装置は、
前記ＩＤカードの再発行を申請した申請者が提出した申請書から、当該申請者の識別情報を読み取る読取手段と、
前記記憶装置に、前記読取手段により読み取られた識別情報に対応付けられた第１の顔画像を送信するよう要求する要求手段と、
前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、
前記判定手段による判定結果に基づいて、本人であると判定された申請者が提出した申請書と、本人でないと判定された申請者が提出した申請書と、を識別可能に分別する分別手段と、
を備えることを特徴とするＩＤカード再発行システム。
【請求項３】
請求項１又は２に記載のＩＤカード再発行システムにおいて、
前記撮影装置、前記ＩＤカード作成装置及び前記記憶装置は、ネットワークを介して管理端末装置と接続され、
前記撮影装置は、
前記判定手段による判定結果を、当該判定結果に該当する申請者の識別情報及び第２の顔画像とともに、前記管理端末装置に送信する結果送信手段を備え、
前記管理端末装置は、
前記結果送信手段により送信された判定結果と識別情報と第２の顔画像とを対応付けて記憶する判定結果記憶手段と、
前記識別情報を入力する入力手段と、
前記記憶装置に、前記入力手段により入力された識別情報に対応付けられた第１の顔画像を送信するよう要求する第２の要求手段と、
前記判定結果記憶手段から、前記入力手段により入力された識別情報に対応付けられた判定結果及び第２の顔画像を取得する取得手段と、
前記入力手段により入力された識別情報と、前記第２の要求手段による要求に従って前記記憶装置から送信された第１の顔画像と、前記取得手段により取得された判定結果及び第２の顔画像と、を出力手段に出力する出力制御手段と、
を備えることを特徴とするＩＤカード再発行システム。
【請求項４】
ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、
前記撮影装置は、
前記ＩＤカードの再発行を申請した申請者が提出した申請書から、当該申請者の識別情報を読み取る読取手段と、
前記記憶装置に、前記読取手段により読み取られた識別情報に対応付けられた第１の顔画像を送信するよう要求する要求手段と、
前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、
前記判定手段による判定結果を、当該判定結果に該当する申請者の識別情報及び第２の顔画像とともに、前記ＩＤカード作成装置に送信する結果送信手段と、
を備え、
前記ＩＤカード作成装置は、
前記結果送信手段により送信された判定結果に基づいて、本人であると判定された申請者の第２の顔画像をプリントして作成したＩＤカードと、本人でないと判定された申請者の第２の顔画像をプリントして作成したＩＤカードと、を識別可能に加工する加工手段と、
を備えることを特徴とするＩＤカード再発行システム。
【請求項５】
ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、
前記撮影装置は、
前記ＩＤカードの再発行を申請した申請者が提出した申請書から、当該申請者の識別情報を読み取る読取手段と、
前記記憶装置に、前記読取手段により読み取られた識別情報に対応付けられた第１の顔画像を送信するよう要求する要求手段と、
前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、
前記判定手段による判定結果を、当該判定結果に該当する申請者の識別情報及び第２の顔画像とともに、前記ＩＤカード作成装置に送信する結果送信手段と、
を備え、
前記ＩＤカード作成装置は、
前記結果送信手段により送信された判定結果に基づいて、本人であると判定された申請者の第２の顔画像をプリントして作成したＩＤカードと、本人でないと判定された申請者の第２の顔画像をプリントして作成したＩＤカードと、を識別可能に分別する分別手段と、
を備えることを特徴とするＩＤカード再発行システム。
【請求項６】
請求項４又は５に記載のＩＤカード再発行システムにおいて、
前記撮影装置、前記ＩＤカード作成装置及び前記記憶装置は、ネットワークを介して管理端末装置と接続され、
前記撮影装置は、
前記判定手段による判定結果を、当該判定結果に該当する申請者の識別情報及び第２の顔画像とともに、前記管理端末装置に送信する第２の結果送信手段を備え、
前記管理端末装置は、
前記第２の結果送信手段により送信された判定結果と識別情報と第２の顔画像とを対応付けて記憶する判定結果記憶手段と、
前記識別情報を入力する入力手段と、
前記記憶装置に、前記入力手段により入力された識別情報に対応付けられた第１の顔画像を送信するよう要求する第２の要求手段と、
前記判定結果記憶手段から、前記入力手段により入力された識別情報に対応付けられた判定結果及び第２の顔画像を取得する取得手段と、
前記入力手段により入力された識別情報と、前記第２の要求手段による要求に従って前記記憶装置から送信された第１の顔画像と、前記取得手段により取得された判定結果及び第２の顔画像と、を出力手段に出力する出力制御手段と、
を備えることを特徴とするＩＤカード再発行システム。
【請求項７】
ＩＤカードの発行を申請した申請者の顔画像を撮影する撮影装置と、当該撮影装置により撮影された顔画像をプリントしてＩＤカードを作成するＩＤカード作成装置と、前記申請者を識別する識別情報と当該撮影装置により撮影された当該申請者の第１の顔画像とを対応付けて記憶する記憶装置と、当該撮影装置と当該ＩＤカード作成装置と当該記憶装置とネットワークを介して接続される管理端末装置と、を備えるＩＤカード再発行システムにおいて、
前記撮影装置は、
前記ＩＤカードの再発行を申請した申請者が提出した申請書から、当該申請者の識別情報を読み取る読取手段と、
前記記憶装置に、前記読取手段により読み取られた識別情報に対応付けられた第１の顔画像を送信するよう要求する要求手段と、
前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、
前記判定手段による判定結果を、当該判定結果に該当する申請者の識別情報及び第２の顔画像とともに、前記管理端末装置に送信する結果送信手段と、
を備え、
前記管理端末装置は、
前記結果送信手段により送信された判定結果及び識別情報を出力手段に出力する出力制御手段を備えることを特徴とするＩＤカード再発行システム。
【請求項８】
請求項７に記載のＩＤカード再発行システムにおいて、
前記管理端末装置は、
前記結果送信手段により送信された判定結果と識別情報と第２の顔画像とを対応付けて記憶する判定結果記憶手段と、
前記識別情報を入力する入力手段と、
前記記憶装置に、前記入力手段により入力された識別情報に対応付けられた第１の顔画像を送信するよう要求する第２の要求手段と、
前記判定結果記憶手段から、前記入力手段により入力された識別情報に対応付けられた判定結果及び第２の顔画像を取得する取得手段と、
前記入力手段により入力された識別情報と、前記第２の要求手段による要求に従って前記記憶装置から送信された第１の顔画像と、前記取得手段により取得された判定結果及び第２の顔画像と、を前記出力手段に出力する第２の出力制御手段と、
を備えることを特徴とするＩＤカード再発行システム。
【発明の詳細な説明】
【技術分野】
【０００１】
本発明は、ＩＤカード再発行システムに関する。
【背景技術】
【０００２】
運転免許証や社員証などの各種ＩＤカードは、社会生活の上で一般化し、欠くことのできないものとなっている。
ところで、ＩＤカードを更新する際や、ＩＤカードを紛失した際には、ＩＤカードを再発行する。この再発行を申請する申請者の中には、他人になりすまして他人のＩＤカードを再発行してもらい、例えば、これを悪意に使用する者がいる。そこで、ＩＤカードの再発行を申請した申請者が、本人であるか否かを判定することができるよう、例えば、ＩＤカードの発行時に撮影した顔画像を記憶しておき、ＩＤカードの再発行時に、再発行時に撮影した顔画像と、当該記憶しておいた発行時に撮影した顔画像とを比較し、本人であるか否かを判定する撮影装置（例えば、特許文献１参照）などが提案された。
【０００３】
そして、特許文献１に記載の撮影装置は、ＩＤカードの再発行を申請した申請者が本人でないと判定すると、当該撮影装置が備える表示部に警告画面を表示して、撮影を中止するようになっている。すなわち、申請者が本人でないと判定すると、ＩＤカードを再発行しないようになっている。
【特許文献１】特開２００３−３１５８７５号公報
【発明の開示】
【発明が解決しようとする課題】
【０００４】
しかしながら、例えば、撮影装置のオペレータが、撮影や申請者とのやりとりなどに忙しく、警告画面を見逃してしまった場合などに、不正にＩＤカードが再発行されてしまうという問題がある。また、申請者を本人でないと判定する度に、自動的に、撮影を中止するとＩＤカードの再発行処理の効率が低下するという問題もある。
【０００５】
本発明の課題は、ＩＤカードの再発行処理の効率が低下することなく、且つ、不正なＩＤカードの再発行を防止することができるＩＤカード再発行システムを提供することにある。
【課題を解決するための手段】
【０００６】
上記課題を解決するために、請求項１に記載の発明は、ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、前記撮影装置は、前記ＩＤカードの再発行を申請した申請者が提出した申請書から、当該申請者の識別情報を読み取る読取手段と、前記記憶装置に、前記読取手段により読み取られた識別情報に対応付けられた第１の顔画像を送信するよう要求する要求手段と、前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、前記判定手段による判定結果に基づいて、本人であると判定された申請者が提出した申請書と、本人でないと判定された申請者が提出した申請書と、を識別可能に加工する加工手段と、を備えることを特徴とする。
【０００７】
請求項２に記載の発明は、ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、前記撮影装置は、前記ＩＤカードの再発行を申請した申請者が提出した申請書から、当該申請者の識別情報を読み取る読取手段と、前記記憶装置に、前記読取手段により読み取られた識別情報に対応付けられた第１の顔画像を送信するよう要求する要求手段と、前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、前記判定手段による判定結果に基づいて、本人であると判定された申請者が提出した申請書と、本人でないと判定された申請者が提出した申請書と、を識別可能に分別する分別手段と、を備えることを特徴とする。
【０００８】
請求項３に記載の発明は、請求項１又は２に記載のＩＤカード再発行システムにおいて、前記撮影装置、前記ＩＤカード作成装置及び前記記憶装置は、ネットワークを介して管理端末装置と接続され、前記撮影装置は、前記判定手段による判定結果を、当該判定結果に該当する申請者の識別情報及び第２の顔画像とともに、前記管理端末装置に送信する結果送信手段を備え、前記管理端末装置は、前記結果送信手段により送信された判定結果と識別情報と第２の顔画像とを対応付けて記憶する判定結果記憶手段と、前記識別情報を入力する入力手段と、前記記憶装置に、前記入力手段により入力された識別情報に対応付けられた第１の顔画像を送信するよう要求する第２の要求手段と、前記判定結果記憶手段から、前記入力手段により入力された識別情報に対応付けられた判定結果及び第２の顔画像を取得する取得手段と、前記入力手段により入力された識別情報と、前記第２の要求手段による要求に従って前記記憶装置から送信された第１の顔画像と、前記取得手段により取得された判定結果及び第２の顔画像と、を出力手段に出力する出力制御手段と、を備えることを特徴とする。
【０００９】
請求項４に記載の発明は、ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、前記撮影装置は、前記ＩＤカードの再発行を申請した申請者が提出した申請書から、当該申請者の識別情報を読み取る読取手段と、前記記憶装置に、前記読取手段により読み取られた識別情報に対応付けられた第１の顔画像を送信するよう要求する要求手段と、前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、前記判定手段による判定結果を、当該判定結果に該当する申請者の識別情報及び第２の顔画像とともに、前記ＩＤカード作成装置に送信する結果送信手段と、を備え、前記ＩＤカード作成装置は、前記結果送信手段により送信された判定結果に基づいて、本人であると判定された申請者の第２の顔画像をプリントして作成したＩＤカードと、本人でないと判定された申請者の第２の顔画像をプリントして作成したＩＤカードと、を識別可能に加工する加工手段と、を備えることを特徴とする。
【００１０】
請求項５に記載の発明は、ＩＤカードの発行を申請した申請者の顔画像を撮影する撮影装置と、当該撮影装置により撮影された顔画像をプリントしてＩＤカードを作成するＩＤカード作成装置と、当該撮影装置及び当該ＩＤカード作成装置とネットワークを介して接続され、前記申請者を識別する識別情報と当該撮影装置により撮影された当該申請者の第１の顔画像とを対応付けて記憶する記憶装置と、を備えるＩＤカード再発行システムにおいて、前記撮影装置は、前記ＩＤカードの再発行を申請した申請者が提出した申請書から、当該申請者の識別情報を読み取る読取手段と、前記記憶装置に、前記読取手段により読み取られた識別情報に対応付けられた第１の顔画像を送信するよう要求する要求手段と、前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、前記判定手段による判定結果を、当該判定結果に該当する申請者の識別情報及び第２の顔画像とともに、前記ＩＤカード作成装置に送信する結果送信手段と、を備え、前記ＩＤカード作成装置は、前記結果送信手段により送信された判定結果に基づいて、本人であると判定された申請者の第２の顔画像をプリントして作成したＩＤカードと、本人でないと判定された申請者の第２の顔画像をプリントして作成したＩＤカードと、を識別可能に分別する分別手段と、を備えることを特徴とする。
【００１１】
請求項６に記載の発明は、請求項４又は５に記載のＩＤカード再発行システムにおいて、前記撮影装置、前記ＩＤカード作成装置及び前記記憶装置は、ネットワークを介して管理端末装置と接続され、前記撮影装置は、前記判定手段による判定結果を、当該判定結果に該当する申請者の識別情報及び第２の顔画像とともに、前記管理端末装置に送信する第２の結果送信手段を備え、前記管理端末装置は、前記第２の結果送信手段により送信された判定結果と識別情報と第２の顔画像とを対応付けて記憶する判定結果記憶手段と、前記識別情報を入力する入力手段と、前記記憶装置に、前記入力手段により入力された識別情報に対応付けられた第１の顔画像を送信するよう要求する第２の要求手段と、前記判定結果記憶手段から、前記入力手段により入力された識別情報に対応付けられた判定結果及び第２の顔画像を取得する取得手段と、前記入力手段により入力された識別情報と、前記第２の要求手段による要求に従って前記記憶装置から送信された第１の顔画像と、前記取得手段により取得された判定結果及び第２の顔画像と、を出力手段に出力する出力制御手段と、を備えることを特徴とする。
【００１２】
請求項７に記載の発明は、ＩＤカードの発行を申請した申請者の顔画像を撮影する撮影装置と、当該撮影装置により撮影された顔画像をプリントしてＩＤカードを作成するＩＤカード作成装置と、前記申請者を識別する識別情報と当該撮影装置により撮影された当該申請者の第１の顔画像とを対応付けて記憶する記憶装置と、当該撮影装置と当該ＩＤカード作成装置と当該記憶装置とネットワークを介して接続される管理端末装置と、を備えるＩＤカード再発行システムにおいて、前記撮影装置は、前記ＩＤカードの再発行を申請した申請者が提出した申請書から、当該申請者の識別情報を読み取る読取手段と、前記記憶装置に、前記読取手段により読み取られた識別情報に対応付けられた第１の顔画像を送信するよう要求する要求手段と、前記要求手段による要求に従って前記記憶装置から送信された第１の顔画像と、当該撮影装置により撮影された前記ＩＤカードの再発行を申請した申請者の第２の顔画像と、を比較して、当該ＩＤカードの再発行を申請した申請者が本人であるか否かを判定する判定手段と、前記判定手段による判定結果を、当該判定結果に該当する申請者の識別情報及び第２の顔画像とともに、前記管理端末装置に送信する結果送信手段と、を備え、前記管理端末装置は、前記結果送信手段により送信された判定結果及び識別情報を出力手段に出力する出力制御手段を備えることを特徴とする。
【００１３】
請求項８に記載の発明は、請求項７に記載のＩＤカード再発行システムにおいて、前記管理端末装置は、前記結果送信手段により送信された判定結果と識別情報と第２の顔画像とを対応付けて記憶する判定結果記憶手段と、前記識別情報を入力する入力手段と、前記記憶装置に、前記入力手段により入力された識別情報に対応付けられた第１の顔画像を送信するよう要求する第２の要求手段と、前記判定結果記憶手段から、前記入力手段により入力された識別情報に対応付けられた判定結果及び第２の顔画像を取得する取得手段と、前記入力手段により入力された識別情報と、前記第２の要求手段による要求に従って前記記憶装置から送信された第１の顔画像と、前記取得手段により取得された判定結果及び第２の顔画像と、を前記出力手段に出力する第２の出力制御手段と、を備えることを特徴とする。
【発明の効果】
【００１４】
請求項１に記載の発明によれば、撮影装置が備える加工手段により、申請者が本人であるか否かが識別可能となるように、当該申請者の申請書に加工を施すことができるため、オペレータに対して、確実に、申請者が本人であるか否かを認識させることができる。また、判定手段により申請者が本人でないと判定されても、ＩＤカードの再発行処理は続行される。したがって、ＩＤカードの再発行処理の効率が低下することなく、且つ、不正なＩＤカードの再発行を防止することができる。
【００１５】
請求項２に記載の発明によれば、撮影装置が備える分別手段により、申請者が本人であるか否かが識別可能となるように、当該申請者の申請書を分別することができるため、オペレータに対して、確実に、申請者が本人であるか否かを認識させることができる。また、判定手段により申請者が本人でないと判定されても、ＩＤカードの再発行処理は続行される。したがって、ＩＤカードの再発行処理の効率が低下することなく、且つ、不正なＩＤカードの再発行を防止することができる。
【００１６】
請求項３に記載の発明によれば、請求項１又は２に記載の発明と同様の効果が得られることは無論のこと、管理端末装置が備える入力手段により申請者の識別情報が入力されると、管理端末装置が備える出力手段に、当該申請者の第１の顔画像や当該申請者の第２の顔画像などが出力されるため、オペレータは、入念に、申請者が本人であるか否かを確認することができる。したがって、より確実に、不正なＩＤカードの再発行を防止することができる。
【００１７】
請求項４に記載の発明によれば、ＩＤカード作成装置が備える加工手段により、申請者が本人であるか否かが識別可能となるように、当該申請者の第２の顔画像をプリントして作成したＩＤカードに加工を施すことができるため、オペレータに対して、確実に、申請者が本人であるか否かを認識させることができる。また、判定手段により申請者が本人でないと判定されても、ＩＤカードの再発行処理は続行される。したがって、ＩＤカードの再発行処理の効率が低下することなく、且つ、不正なＩＤカードの再発行を防止することができる。
【００１８】
請求項５に記載の発明によれば、ＩＤカード作成装置が備える分別手段により、申請者が本人であるか否かが識別可能となるように、当該申請者の第２の顔画像をプリントして作成したＩＤカードを分別することができるため、オペレータに対して、確実に、申請者が本人であるか否かを認識させることができる。また、判定手段により申請者が本人でないと判定されても、ＩＤカードの再発行処理は続行される。したがって、ＩＤカードの再発行処理の効率が低下することなく、且つ、不正なＩＤカードの再発行を防止することができる。
【００１９】
請求項６に記載の発明によれば、請求項４又は５に記載の発明と同様の効果が得られることは無論のこと、管理端末装置が備える入力手段により申請者の識別情報が入力されると、管理端末装置が備える出力手段に、当該申請者の第１の顔画像や当該申請者の第２の顔画像などが出力されるため、オペレータは、入念に、申請者が本人であるか否かを確認することができる。したがって、より確実に、不正なＩＤカードの再発行を防止することができる。
【００２０】
請求項７に記載の発明によれば、出力制御手段により、管理端末装置が備える出力手段に、申請者が本人であるか否かの判定結果と当該申請者の識別番号を出力することができるため、オペレータに対して、確実に、申請者が本人であるか否かを認識させることができる。また、判定手段により申請者が本人でないと判定されても、ＩＤカードの再発行処理は続行される。したがって、ＩＤカードの再発行処理の効率が低下することなく、且つ、不正なＩＤカードの再発行を防止することができる。
【００２１】
請求項８に記載の発明によれば、請求項７に記載の発明と同様の効果が得られることは無論のこと、管理端末装置が備える入力手段により申請者の識別情報が入力されると、管理端末装置が備える出力手段に、当該申請者の第１の顔画像や当該申請者の第２の顔画像などが出力されるため、オペレータは、入念に、申請者が本人であるか否かを確認することができる。したがって、より確実に、不正なＩＤカードの再発行を防止することができる。
【発明を実施するための最良の形態】
【００２２】
以下、図を参照して、本発明を実施するための最良の形態を詳細に説明する。なお、発明の範囲は、図示例に限定されない。
【００２３】
[第１の実施の形態]
まず、第１の実施の形態について説明する。
【００２４】
＜ＩＤカード再発行システムの構成＞
まず、ＩＤカード再発行システム１０００の構成を、図１を参照して説明する。
【００２５】
ＩＤカード再発行システム１０００は、例えば、図１に示すように、記憶サーバ１１を接続するホストコンピュータ１、撮影装置２、ＩＤカード作成装置３、管理端末装置４などを備えて構成される。ホストコンピュータ１と、撮影装置２と、ＩＤカード作成装置３と、管理端末装置４とは、ネットワークを介して接続されており、互いに通信可能となっている。
【００２６】
なお、ネットワークは、専用線により構築された通信ネットワークであり、ＬＡＮ（Local Area Network）やＷＡＮ（Wide Area Network）などの回線形態を適用することが可能である。
また、一つのホストコンピュータ１に接続される、撮影装置２、ＩＤカード作成装置３、管理端末装置４の個数は、図１の限りではなく、任意である。
【００２７】
ホストコンピュータ１は、予め記憶されたプログラムに従い、ＩＤカード再発行システム１０００を統括的に制御するコンピュータである。ホストコンピュータ１は、例えば、図１に示すように、記憶サーバ１１（例えば、磁気テープ装置や磁気ディスク装置などの磁気記憶装置など）を接続している。
ここで、ホストコンピュータ１と記憶サーバ１１とにより、記憶装置が構成されることとなる。
【００２８】
記憶サーバ１１には、例えば、図１に示すように、顔画像データベース１１１が格納されている。さらに、記憶サーバ１１には、例えば、申請者の個人情報（住所、氏名、国籍・本籍、生年月日など）なども記憶されている。
【００２９】
顔画像データベース１１１は、ＩＤカードの発行（１回目の発行）時に、申請者を識別する識別情報としてのＩＤ番号と、撮影装置２により撮影された当該申請者の第１の顔画像と、を対応付けて記憶する。
ここで、第１の顔画像とは、ＩＤカードの発行（１回目の発行）時に、撮影装置２の画像処理装置２２に接続されるカメラ２２１（後述）により撮影された顔画像のことである。
【００３０】
なお、顔画像データベース１１１は、ホストコンピュータ１に格納してもよいし、或いは、ネットワークを介して接続される外部装置内に格納してもよい。
【００３１】
撮影装置２は、ＩＤカードの発行を申請した申請者の顔画像を撮影する。
撮影装置２は、例えば、図１に示すように、エンジニアリング・ワーク・ステーション（以下、ＥＷＳ）２１、カメラ２２１及びＴＶモニタ２２２を接続する画像処理装置２２、読取手段としてのＩＤ番号読取装置２３、加工手段としての申請書加工装置２４などを備えている。そして、撮影装置２は、ＥＷＳ２１によってネットワークに接続されている。
【００３２】
ＥＷＳ２１は、例えば、図１に示すように、ＣＰＵ（Central Processing Unit）２１１、ＲＡＭ（Random Access Memory）２１２、記憶部２１３などを備えている。
【００３３】
ＣＰＵ２１１は、記憶部２１３に記憶されたＥＷＳ２１用の各種処理プログラムに従って各種の制御動作を行う。
【００３４】
ＲＡＭ２１２は、ＣＰＵ２１１によって実行される処理プログラムなどを展開するためのプログラム格納領域や、入力データや上記処理プログラムが実行される際に生じる処理結果などを格納するデータ格納領域などを備える。
【００３５】
記憶部２１３は、ＥＷＳ２１で実行可能なシステムプログラム、当該システムプログラムで実行可能な各種処理プログラム、これら各種処理プログラムを実行する際に使用されるデータ、ＣＰＵ２１１によって演算処理された処理結果のデータなどを記憶する。なお、プログラムは、コンピュータが読み取り可能なプログラムコードの形で記憶部２１３に記憶されている。
具体的には、記憶部２１３には、例えば、図１に示すように、要求プログラム２１３１、判定プログラム２１３２、結果送信プログラム２１３３などが格納されている。
【００３６】
要求プログラム２１３１は、ＣＰＵ２１１に、記憶サーバ１１を接続するホストコンピュータ１に、ＩＤ番号読取装置２３により読み取られたＩＤ番号に対応付けられた第１の顔画像を送信するよう要求する機能を実現させる。
ＣＰＵ２１１は、かかる要求プログラム２１３１を実行することによって、要求手段として機能する。
【００３７】
判定プログラム２１３２は、ＣＰＵ２１１に、要求プログラム２１３１を実行したＣＰＵ２１１による要求に従って記憶サーバ１１を接続するホストコンピュータ１から送信された第１の顔画像と、撮影装置２（カメラ２２１）により撮影されたＩＤカードの再発行を申請した申請者の第２の顔画像と、を比較して、ＩＤカードの再発行を申請した申請者が本人であるか否かを判定する機能を実現させる。
ここで、第２の顔画像とは、ＩＤカードの再発行（２回目以降の発行）時に、カメラ２２１により撮影された顔画像のことである。
具体的には、例えば、ＣＰＵ２１１は、判定プログラム２１３２を実行して、第１の顔画像から抽出した顔の特徴を示す第１の特徴量と、第２の顔画像から抽出した顔の特徴を示す第２の特徴量と、を比較し、当該第１の特徴量と当該第２の特徴量とが、所定の誤差範囲内で一致した場合に、申請者は本人であると判定する。
ここで、第１の特徴量及び第２の特徴量は、それぞれ第１の顔画像及び第２の顔画像から抽出した、顔を構成する部位（目、鼻、口など）の位置や当該部位同士の間隔などであり、例えば、目の位置や目と鼻の間隔などである。
なお、第１の顔画像と第２の顔画像の比較は、特徴量を比較する方法に限ることなく、その他の好適な方法を用いて行うことができる。
ＣＰＵ２１１は、かかる判定プログラム２１３２を実行することによって、判定手段として機能する。
【００３８】
結果送信プログラム２１３３は、ＣＰＵ２１１に、判定プログラム２１３２を実行したＣＰＵ２１１による判定結果を、当該判定結果に該当する申請者のＩＤ番号及び第２の顔画像とともに、管理端末装置４に送信する機能を実現させる。
ＣＰＵ２１１は、かかる結果送信プログラム２１３３を実行することによって、結果送信手段として機能する。
【００３９】
画像処理装置２２は、例えば、図１に示すように、カメラ２２１、ＴＶモニタ２２２などを接続している。画像処理装置２２は、カメラ２２１により取得された顔画像情報（アナログビデオ信号）を、デジタル化して、ＥＷＳ２１に出力する。
【００４０】
カメラ２２１は、例えば、オペレータによってカメラ２２１に設けられた撮影開始ボタン（図示省略）が押下されると、申請者の顔を中心とした胸像を撮影して、申請者の顔画像を撮影する。
【００４１】
ＴＶモニタ２２２は、カメラ２２１により撮影された顔画像を表示する。オペレータは、ＴＶモニタ２２２に表示された顔画像を見て、当該顔画像を、ＩＤカードにプリントする顔画像として確定するか否かを判断することができる。
【００４２】
ＩＤ番号読取装置２３は、読取手段として、ＩＤカードの再発行を申請した申請者が提出した申請書から、当該申請者のＩＤ番号を読み取り、ＥＷＳ２１に出力する。
具体的には、ＩＤ番号読取装置２３は、例えば、オペレータによってＩＤ番号読取装置２３に設けられた読取開始ボタン（図示省略）が押下されると、申請書からＩＤ番号を読み取る。
ＩＤ番号読取装置２３としては、例えば、バーコードリーダや、スキャナ、光学式文字読取装置（ＯＣＲ装置）、磁気読取装置などを、適宜に用いることができる。
【００４３】
申請書加工装置２４は、加工手段として、判定プログラム２１３２を実行したＣＰＵ２１１による判定結果に基づいて、本人であると判定された申請者が提出した申請書と、本人でないと判定された申請者が提出した申請書と、を識別可能に加工する。
具体的には、申請書加工装置２４は、ＣＰＵ２１１からの制御に従って、例えば、判定プログラム２１３２を実行したＣＰＵ２１１によりＩＤカードの再発行を申請した申請者が本人でないと判定された場合には、当該申請者が提出した申請書に、印を付す、穴をあける、端を折る、端に切れ込みを入れるなどの、所定の加工を施す。
なお、本人でないと判定された申請者が提出した申請書のみに所定の加工を施すだけでなく、本人であると判定された申請者が提出した申請書と、本人でないと判定された申請者が提出した申請書と、が識別可能になるのであれば、本人であると判定された申請者が提出した申請書にも所定の加工を施してもよく、例えば、本人であると判定された申請者が提出した申請書及び本人でないと判定された申請者が提出した申請書に、判定結果を印字するようにしてもよい。
【００４４】
ＩＤカード作成装置３は、撮影装置２（カメラ２２１）により撮影された顔画像をプリントしてＩＤカードを作成する。
ＩＤカード作成装置３は、例えば、図１に示すように、ＥＷＳ３１、プリント装置３２などを備えている。そして、ＩＤカード作成装置３は、ＥＷＳ３１によってネットワークに接続されている。
【００４５】
ＥＷＳ３１は、例えば、図１に示すように、ＣＰＵ３１１、ＲＡＭ３１２、記憶部３１３などを備えている。
【００４６】
ＣＰＵ３１１は、記憶部３１３に記憶されたＥＷＳ３１用の各種処理プログラムに従って各種の制御動作を行う。
【００４７】
ＲＡＭ３１２は、ＣＰＵ３１１によって実行される処理プログラムなどを展開するためのプログラム格納領域や、入力データや上記処理プログラムが実行される際に生じる処理結果などを格納するデータ格納領域などを備える。
【００４８】
記憶部３１３は、ＥＷＳ３１で実行可能なシステムプログラム、当該システムプログラムで実行可能な各種処理プログラム、これら各種処理プログラムを実行する際に使用されるデータ、ＣＰＵ３１１によって演算処理された処理結果のデータなどを記憶する。なお、プログラムは、コンピュータが読み取り可能なプログラムコードの形で記憶部３１３に記憶されている。
【００４９】
プリント装置３２は、ＣＰＵ３１１からの制御に従って、例えば、撮影装置２のカメラ２２１により撮影された顔画像や、記憶サーバ１１に記憶された個人情報（住所、氏名、国籍・本籍、生年月日など）に基づく画像などを、ＩＤカードにプリントして、ＩＤカードを作成する。
【００５０】
管理端末装置４は、例えば、図１に示すように、ＥＷＳ４１、入力手段としてのＩＤ番号入力装置４２、出力手段としての表示装置４３などを備えている。そして、管理端末装置４は、ＥＷＳ４１によってネットワークに接続されている。
ここで、管理端末装置４は、例えば、ＩＤカード作成装置３により作成されたＩＤカードを、申請者に交付して再発行する場所に設置されている。
【００５１】
ＥＷＳ４１は、例えば、図１に示すように、ＣＰＵ４１１、ＲＡＭ４１２、記憶部４１３などを備えている。
【００５２】
ＣＰＵ４１１は、記憶部４１３に記憶されたＥＷＳ４１用の各種処理プログラムに従って各種の制御動作を行う。
【００５３】
ＲＡＭ４１２は、ＣＰＵ４１１によって実行される処理プログラムなどを展開するためのプログラム格納領域や、入力データや上記処理プログラムが実行される際に生じる処理結果などを格納するデータ格納領域などを備える。
【００５４】
記憶部４１３は、ＥＷＳ４１で実行可能なシステムプログラム、当該システムプログラムで実行可能な各種処理プログラム、これら各種処理プログラムを実行する際に使用されるデータ、ＣＰＵ４１１によって演算処理された処理結果のデータなどを記憶する。なお、プログラムは、コンピュータが読み取り可能なプログラムコードの形で記憶部４１３に記憶されている。
具体的には、記憶部４１３には、例えば、図１に示すように、判定結果データベース４１３１、第２の要求プログラム４１３２、取得プログラム４１３３、出力制御プログラム４１３４などが格納されている。
【００５５】
判定結果データベース４１３１は、判定結果記憶手段として、ＩＤカードの再発行（２回目以降の発行）時に、撮影装置２の結果送信プログラム２１３３を実行したＣＰＵ２１１により送信された判定結果とＩＤ番号と第２の顔画像とを対応付けて記憶する。
【００５６】
第２の要求プログラム４１３２は、ＣＰＵ４１１に、記憶サーバ１１を接続するホストコンピュータ１に、ＩＤ番号入力装置４２により入力されたＩＤ番号に対応付けられた第１の顔画像を送信するよう要求する機能を実現させる。
ＣＰＵ４１１は、かかる第２の要求プログラム４１３２を実行することによって、第２の要求手段として機能する。
【００５７】
取得プログラム４１３３は、ＣＰＵ４１１に、判定結果データベース４１３１から、ＩＤ番号入力装置４２により入力されたＩＤ番号に対応付けられた判定結果及び第２の顔画像を取得する機能を実現させる。
ＣＰＵ４１１は、かかる取得プログラム４１３３を実行することによって、取得手段として機能する。
【００５８】
出力制御プログラム４１３４は、ＣＰＵ４１１に、ＩＤ番号入力装置４２により入力されたＩＤ番号と、第２の要求プログラム４１３２を実行したＣＰＵ４１１による要求に従って記憶サーバ１１を接続するホストコンピュータ１から送信された第１の顔画像と、取得プログラム４１３３を実行したＣＰＵ４１１により取得された判定結果及び第２の顔画像と、を表示装置４３に出力して表示させる機能を実現させる。
ＣＰＵ４１１は、かかる出力制御プログラム４１３４を実行することによって、出力制御手段として機能する。
【００５９】
ＩＤ番号入力装置４２は、例えば、カーソルキー、文字／数字キー、各種機能キーなどから構成され、オペレータのキー操作に伴う押下信号をＥＷＳ４１に出力する。また、ＩＤ番号入力装置４２は、必要に応じてマウスやタッチパネルなどのポインティングデバイスや、バーコードリーダ、スキャナ、ＯＣＲ装置、磁気読取装置など、その他の入力装置を備えるものとしてもよい。
具体的には、ＩＤ番号入力装置４２は、例えば、入力手段として、オペレータが、ＩＤカードの再発行を申請した申請者のＩＤ番号を入力する際に使用される。
【００６０】
表示装置４３は、例えば、ＬＣＤ（Liquid Crystal Display）パネルなどから構成され、ＥＷＳ４１から入力される表示信号に従って所与の表示処理を行う。
具体的には、本発明における表示装置４３は、例えば、出力手段として、出力制御プログラム４１３４を実行したＣＰＵ４１１からの制御に従って、所定の画像を表示する。
【００６１】
＜処理＞
次に、ＩＤカード再発行システム１０００における処理（再発行するＩＤカード作成処理、申請者確認処理）について説明する。
【００６２】
＜再発行するＩＤカード作成処理＞
まず、ＩＤカード再発行システム１０００における、再発行するＩＤカードの作成に関する処理について、図２のフローチャートを参照して説明する。
【００６３】
まず、撮影装置２のＩＤ番号読取装置２３が、ＩＤカードの再発行を申請した申請者が提出した申請書から、当該申請者のＩＤ番号を読み取ると（ステップＳ１１）、撮影装置２のＣＰＵ２１１は、要求プログラム２１３１を実行して、記憶サーバ１１を接続するホストコンピュータ１に、当該読み取られたＩＤ番号を送信して、当該読み取られたＩＤ番号に対応付けられた第１の顔画像を送信するよう要求する（ステップＳ１２）。
【００６４】
撮影装置２のＣＰＵ２１１から送信されたＩＤ番号を受信すると（ステップＳ１３）、ホストコンピュータ１は、記憶サーバ１１に格納された顔画像データベース１１１から、当該受信したＩＤ番号に対応付けられた第１の顔画像を取得して（ステップＳ１４）、撮影装置２に送信する（ステップＳ１５）。
【００６５】
そして、撮影装置２のＣＰＵ２１１は、ホストコンピュータ１から送信された第１の顔画像を受信する（ステップＳ１６）。
【００６６】
また、第１の顔画像の要求とは別個に、ＣＰＵ２１１は、画像処理装置２２を制御して、カメラ２２１により申請者の顔画像（第２の顔画像）を撮影させる（ステップＳ１７）。
【００６７】
次いで、ＣＰＵ２１１は、判定プログラム２１３２を実行して、ステップＳ１６で受信した第１の顔画像と、ステップＳ１７で撮影された第２の顔画像と、を比較して、ＩＤカードの再発行を申請した申請者が本人であるか否かを判定する（ステップＳ１８）。
【００６８】
次いで、ＣＰＵ２１１は、ステップＳ１８において、ＩＤカードの再発行を申請した申請者が本人であると判定したか、本人でないと判定したか、を判別する（ステップＳ１９）。
【００６９】
ステップＳ１９で、ＩＤカードの再発行を申請した申請者が本人であると判定したと判別すると（ステップＳ１９；Ｙｅｓ）、ＣＰＵ２１１は、ステップＳ２１の処理に移行する。
【００７０】
一方、ステップＳ１９で、ＩＤカードの再発行を申請した申請者が本人でないと判定したと判別すると（ステップＳ１９；Ｎｏ）、ＣＰＵ２１１は、申請書加工装置２４を制御して、ステップＳ１１でＩＤ番号が読み取られた申請書に、所定の加工を施す（ステップＳ２０）。
【００７１】
次いで、ＣＰＵ２１１は、結果送信プログラム２１３３を実行して、ステップＳ１８で得られた判定結果と、ステップＳ１１で読み取られたＩＤ番号と、ステップＳ１７で撮影された第２の顔画像と、を管理端末装置４及びＩＤカード作成装置３に送信する（ステップＳ２１）。
【００７２】
撮影装置２のＣＰＵ２１１から送信された判定結果、ＩＤ番号及び第２の顔画像を受信すると（ステップＳ２２）、管理端末装置４のＣＰＵ４１１は、当該受信した判定結果とＩＤ番号と第２の顔画像とを対応付けて、判定結果データベース４１３１に記憶させ（ステップＳ２３）、本処理を終了する。
【００７３】
また、撮影装置２のＣＰＵ２１１から送信された判定結果、ＩＤ番号及び第２の顔画像を受信すると（ステップＳ２４）、ＩＤカード作成装置３のＣＰＵ３１１は、プリント装置３２を制御して、当該受信したＩＤ番号や第２の顔画像などをＩＤカードにプリントしてＩＤカードを作成し（ステップＳ２５）、本処理を終了する。
なお、ＩＤカードには、ＩＤ番号や第２の顔画像の他に、例えば、記憶サーバ１１に記憶された個人情報（住所、氏名、国籍・本籍、生年月日など）に基づく画像などもプリントされる。
【００７４】
＜申請者確認処理＞
次に、ＩＤカード再発行システム１０００における、ＩＤカードの再発行を申請した申請者の確認に関する処理について、図３のフローチャートを参照して説明する。
【００７５】
ここで、申請者確認処理は、管理端末装置４のオペレータ（作成されたＩＤカードを交付する者）が、作成されたＩＤカードを申請者に交付して再発行する際に、再発行するＩＤカード作成処理（図２）において本人でないと判定された申請者を、入念に確認するための処理である。
具体的には、例えば、管理端末装置４が設置された場所に、撮影装置２が設置された場所から申請書（再発行するＩＤカード作成処理（図２）においてＩＤ番号が読み取られて申請者が本人であるか否かが識別可能となるよう加工された申請書）が運ばれ、ＩＤカード作成装置３が設置された場所からＩＤカード（再発行するＩＤカード作成処理（図２）において作成されたＩＤカード）が運ばれる。そして、管理端末装置４のオペレータは、申請書とＩＤカードとをつき合せて、ＩＤカードにプリントされた画像（顔画像や個人情報に基づく画像など）などを確認しながら、申請者にＩＤカードを交付して再発行する。この際、管理端末装置４のオペレータは、例えば、申請書に加工が施されている場合（すなわち、再発行するＩＤカード作成処理（図２）において申請者が本人でないと判定された場合）は、当該申請者確認処理を行って、当該申請書を提出した申請者を入念に確認して、当該申請者にＩＤカードを交付して再発行するか否かを判断する。
【００７６】
まず、管理端末装置４のオペレータによるＩＤ番号入力装置４２の操作によって、ＩＤ番号（主に、加工が施された申請書に記載されたＩＤ番号）が入力されると（ステップＳ３１）、管理端末装置４のＣＰＵ４１１は、第２の要求プログラム４１３２を実行して、記憶サーバ１１を接続するホストコンピュータ１に、当該入力されたＩＤ番号を送信して、当該入力されたＩＤ番号に対応付けられた第１の顔画像を送信するよう要求する（ステップＳ３２）。
【００７７】
管理端末装置４のＣＰＵ４１１から送信されたＩＤ番号を受信すると（ステップＳ３３）、ホストコンピュータ１は、記憶サーバ１１に格納された顔画像データベース１１１から、当該受信したＩＤ番号に対応付けられた第１の顔画像を取得して（ステップＳ３４）、管理端末装置４に送信する（ステップＳ３５）。
【００７８】
そして、管理端末装置４のＣＰＵ４１１は、ホストコンピュータ１から送信された第１の顔画像を受信する（ステップＳ３６）。
【００７９】
また、第１の顔画像の要求とは別個に、ＣＰＵ４１１は、取得プログラム４１３３を実行して、判定結果データベース４１３１から、ステップＳ３１で入力されたＩＤ番号に対応付けられた判定結果及び第２の顔画像を取得する（ステップＳ３７）。
【００８０】
次いで、ＣＰＵ４１１は、出力制御プログラム４１３４を実行して、表示装置４３に、ステップＳ３１で入力されたＩＤ番号と、ステップＳ３６で受信した第１の顔画像と、ステップＳ３７で取得した判定結果及び第２の顔画像と、を表示させて（ステップＳ３８）、本処理を終了する。
なお、表示装置４３には、ＩＤ番号、第１の顔画像、判定結果、第２の顔画像の他に、例えば、記憶サーバ１１に記憶された個人情報（住所、氏名、国籍・本籍、生年月日など）に基づく画像なども表示してもよい。
【００８１】
その後、管理端末装置４のオペレータは、表示装置４３に表示された第１の顔画像及び第２の顔画像と、実際の申請者の顔と、をつき合せて、当該申請者が本人であるか、偽者であるかを判断する。
【００８２】
以上説明した第１の実施の形態のＩＤカード再発行システム１０００によれば、撮影装置２が備える申請書加工装置２４により、申請者が本人であるか否か識別可能となるように、当該申請者の申請書に加工を施すことができるため、オペレータに対して、確実に、申請者が本人であるか否かを認識させることができる。また、判定プログラム２１３２を実行したＣＰＵ２１１により申請者が本人でないと判定されても、ＩＤカードの再発行処理は続行される。したがって、ＩＤカードの再発行処理の効率が低下することなく、且つ、不正なＩＤカードの再発行を防止することができる。
【００８３】
また、管理端末装置４が備えるＩＤ番号入力装置４２により申請者のＩＤ番号が入力されると、管理端末装置４が備える表示装置４３に、当該申請者の第１の顔画像や当該申請者の第２の顔画像などが表示されるため、オペレータは、入念に、申請者が本人であるか否かを確認することができる。したがって、より確実に、不正なＩＤカードの再発行を防止することができる。
【００８４】
[第２の実施の形態]
次に、第２の実施の形態について説明する。
【００８５】
＜ＩＤカード再発行システムの構成＞
まず、ＩＤカード再発行システム１０００ａの構成を、図４を参照して説明する。
なお、第２の実施の形態のＩＤカード再発行システム１０００ａは、申請者が本人であるか否かが識別可能となるように申請書を分別する点においてのみ第１の実施の形態のＩＤカード再発行システム１０００（図１）と異なり、具体的には、ＩＤカード再発行システム１０００（図１）における撮影装置２の構成の一部が異なる。したがって、異なる箇所のみについて説明し、その他の共通する部分は同一符号を付して説明する。
【００８６】
ＩＤカード再発行システム１０００ａは、例えば、図４に示すように、記憶サーバ１１を接続するホストコンピュータ１、撮影装置２ａ、ＩＤカード作成装置３、管理端末装置４などを備えて構成される。ホストコンピュータ１と、撮影装置２ａと、ＩＤカード作成装置３と、管理端末装置４とは、ネットワークを介して接続されており、互いに通信可能となっている。
【００８７】
撮影装置２ａは、例えば、図４に示すように、ＥＷＳ２１、画像処理装置２２、ＩＤ番号読取装置２３、分別手段としての申請書分別装置２５ａなどを備えている。そして、撮影装置２ａは、ＥＷＳ２１によってネットワークに接続されている。
【００８８】
申請書分別装置２５ａは、分別手段として、判定プログラム２１３２を実行したＣＰＵ２１１による判定結果に基づいて、本人であると判定された申請者が提出した申請書と、本人でないと判定された申請者が提出した申請書と、を識別可能に分別する。
具体的には、申請書分別装置２５ａは、例えば、『本人トレイ』及び『偽者トレイ』を備えている。そして、申請書分別装置２５ａは、ＣＰＵ２１１からの制御に従って、例えば、判定プログラム２１３２を実行したＣＰＵ２１１によりＩＤカードの再発行を申請した申請者が本人であると判定された場合には、当該申請者が提出してＩＤ番号読取装置２３によりＩＤ番号が読み取られた申請書を、『本人トレイ』に収容する。一方、判定プログラム２１３２を実行したＣＰＵ２１１によりＩＤカードの再発行を申請した申請者が本人でないと判定された場合には、申請書分別装置２５ａは、当該申請者が提出してＩＤ番号読取装置２３によりＩＤ番号が読み取られた申請書を、『偽者トレイ』に収容する。
【００８９】
＜処理＞
次に、ＩＤカード再発行システム１０００ａにおける処理（再発行するＩＤカード作成処理、申請者確認処理）について説明する。
【００９０】
＜再発行するＩＤカード作成処理＞
まず、ＩＤカード再発行システム１０００ａにおける、再発行するＩＤカードの作成に関する処理について、図５のフローチャートを参照して説明する。
なお、ＩＤカード再発行システム１０００ａにおける、再発行するＩＤカードの作成に関する処理は、ＩＤカード再発行システム１０００における、再発行するＩＤカードの作成に関する処理（図２）と共通する部分がある。したがって、異なる箇所のみについて説明し、その他の共通する部分（ステップＳ１〜Ｓ１９及びステップＳ２１〜Ｓ２５）は同一符号を付して、詳細な説明を省略する。
【００９１】
ステップＳ１９で、ＩＤカードの再発行を申請した申請者が本人であると判定したと判別すると（ステップＳ１９；Ｙｅｓ）、撮影装置２ａのＣＰＵ２１１は、申請書分別装置２５ａを制御して、ステップＳ１１でＩＤ番号が読み取られた申請書を、『本人トレイ』に収容し（ステップＳ２０Ａ）、ステップＳ２１の処理に移行する。
【００９２】
一方、ステップＳ１９で、ＩＤカードの再発行を申請した申請者が本人でないと判定したと判別すると（ステップＳ１９；Ｎｏ）、ＣＰＵ２１１は、申請書分別装置２５ａを制御して、ステップＳ１１でＩＤ番号が読み取られた申請書を、『偽者トレイ』に収容し（ステップＳ２０Ｂ）、ステップＳ２１の処理に移行する。
【００９３】
＜申請者確認処理＞
次に、ＩＤカード再発行システム１０００ａにおける、ＩＤカードの再発行を申請した申請者の確認に関する処理について説明する。
【００９４】
ここで、申請者確認処理は、管理端末装置４のオペレータ（作成されたＩＤカードを交付する者）が、作成されたＩＤカードを申請者に交付して再発行する際に、再発行するＩＤカード作成処理（図５）において本人でないと判定された申請者を、入念に確認するための処理である。
具体的には、例えば、管理端末装置４が設置された場所に、撮影装置２ａが設置された場所から申請書（再発行するＩＤカード作成処理（図５）においてＩＤ番号が読み取られて申請者が本人であるか否かが識別可能となるよう分別された申請書）が運ばれ、ＩＤカード作成装置３が設置された場所からＩＤカード（再発行するＩＤカード作成処理（図５）において作成されたＩＤカード）が運ばれる。そして、管理端末装置４のオペレータは、申請書とＩＤカードとをつき合せて、ＩＤカードにプリントされた画像（顔画像や個人情報に基づく画像など）などを確認しながら、申請者にＩＤカードを交付して再発行する。この際、管理端末装置４のオペレータは、例えば、申請書が『偽者トレイ』に収容されている場合（すなわち、再発行するＩＤカード作成処理（図５）において申請者が本人でないと判定された場合）は、当該申請者確認処理を行って、当該申請書を提出した申請者を入念に確認して、当該申請者にＩＤカードを交付して再発行するか否かを判断する。
【００９５】
なお、ＩＤカード再発行システム１０００ａにおける、ＩＤカードの再発行を申請した申請者の確認に関する処理は、ＩＤカード再発行システム１０００における、ＩＤカードの再発行を申請した申請者の確認に関する処理（図３）と略同一であるため、詳細な説明を省略する。
ただし、ステップＳ３１（図３）では、主に、『偽者トレイ』に収容された申請書に記載されたＩＤ番号が入力されることとなる。
【００９６】
以上説明した第２の実施の形態のＩＤカード再発行システム１０００ａによれば、撮影装置２ａが備える申請書分別装置２５ａにより、申請者が本人であるか否かが識別可能となるように、当該申請者の申請書を分別することができるため、オペレータに対して、確実に、申請者が本人であるか否かを認識させることができる。また、判定プログラム２１３２を実行したＣＰＵ２１１により申請者が本人でないと判定されても、ＩＤカードの再発行処理は続行される。したがって、ＩＤカードの再発行処理の効率が低下することなく、且つ、不正なＩＤカードの再発行を防止することができる。
【００９７】
また、管理端末装置４が備えるＩＤ番号入力装置４２により申請者のＩＤ番号を入力されると、管理端末装置４が備える表示装置４３に、当該申請者の第１の顔画像や当該申請者の第２の顔画像などが表示されるため、オペレータは、入念に、申請者が本人であるか否かを確認することができる。したがって、より確実に、不正なＩＤカードの再発行を防止することができる。
【００９８】
[第３の実施の形態]
次に、第３の実施の形態について説明する。
【００９９】
＜ＩＤカード再発行システムの構成＞
まず、ＩＤカード再発行システム１０００ｂの構成を、図６を参照して説明する。
なお、第３の実施の形態のＩＤカード再発行システム１０００ｂは、申請者が本人であるか否かが識別可能となるように作成されたＩＤカードに加工を施す点においてのみ第１の実施の形態のＩＤカード再発行システム１０００（図１）と異なり、具体的には、ＩＤカード再発行システム１０００（図１）における撮影装置２及びＩＤカード作成装置３の構成の一部が異なる。したがって、異なる箇所のみについて説明し、その他の共通する部分は同一符号を付して説明する。
【０１００】
ＩＤカード再発行システム１０００ｂは、例えば、図６に示すように、記憶サーバ１１を接続したホストコンピュータ１、撮影装置２ｂ、ＩＤカード作成装置３ｂ、管理端末装置４などを備えて構成される。ホストコンピュータ１と、撮影装置２ｂと、ＩＤカード作成装置３ｂと、管理端末装置４とは、ネットワークを介して接続されており、互いに通信可能となっている。
【０１０１】
撮影装置２ｂは、例えば、図６に示すように、ＥＷＳ２１ｂ、画像処理装置２２、ＩＤ番号読取装置２３などを備えている。そして、撮影装置２ｂは、ＥＷＳ２１ｂによってネットワークに接続されている。
【０１０２】
ＥＷＳ２１ｂは、例えば、図６に示すように、ＣＰＵ２１１、ＲＡＭ２１２、記憶部２１３ｂなどを備えている。
【０１０３】
記憶部２１３ｂには、例えば、図６に示すように、要求プログラム２１３１、判定プログラム２１３２、結果送信プログラム２１３３ｂなどが格納されている。
【０１０４】
結果送信プログラム２１３３ｂは、ＣＰＵ２１１に、判定プログラム２１３２を実行したＣＰＵ２１１による判定結果を、当該判定結果に該当する申請者のＩＤ番号及び第２の顔画像とともに、ＩＤカード作成装置３ｂ及び管理端末装置４に送信する機能を実現させる。
ＣＰＵ２１１は、かかる結果送信プログラム２１３３ｂを実行することによって、結果送信手段及び第２の結果送信手段として機能する。
【０１０５】
ＩＤカード作成装置３ｂは、例えば、図６に示すように、ＥＷＳ３１、プリント装置３２、加工手段としてのＩＤカード加工装置３３ｂなどを備えている。そして、ＩＤカード作成装置３ｂは、ＥＷＳ３１によってネットワークに接続されている。
【０１０６】
ＩＤカード加工装置３３ｂは、加工手段として、撮影装置２ｂの結果送信プログラム２１３３ｂを実行したＣＰＵ２１１により送信された判定結果に基づいて、本人であると判定された申請者の第２の顔画像をプリントして作成したＩＤカードと、本人でないと判定された申請者の第２の顔画像をプリントして作成したＩＤカードと、を識別可能に加工する。
具体的には、ＩＤカード加工装置３３ｂは、ＣＰＵ３１１からの制御に従って、例えば、撮影装置２ｂからＩＤカードの再発行を申請した申請者が本人でない旨の判定結果を受信した場合には、当該判定結果とともに受信した第２の顔画像をプリントして作成したＩＤカードに、印を付すなどの、所定の加工を施す。
ここで、ＩＤカードに印を付す場合は、当該印が不可視となるように、例えば、ＵＶインクなどを用いることとする。ＩＤカードに付した印が不可視であれば、申請者確認処理（後述）において、作成されたＩＤカードを交付する者が、再発行するＩＤカード作成処理（後述）で得られた申請者が本人でない旨の判定結果は間違いであると確認した場合に、印が付されたままのＩＤカードを申請者に交付して再発行することができる。
【０１０７】
＜処理＞
次に、ＩＤカード再発行システム１０００ｂにおける処理（再発行するＩＤカード作成処理、申請者確認処理）について説明する。
【０１０８】
＜再発行するＩＤカード作成処理＞
まず、ＩＤカード再発行システム１０００ｂにおける、再発行するＩＤカードの作成に関する処理について、図７のフローチャートを参照して説明する。
なお、ＩＤカード再発行システム１０００ｂにおける、再発行するＩＤカードの作成に関する処理は、ＩＤカード再発行システム１０００における、再発行するＩＤカードの作成に関する処理（図２）と共通する部分がある。したがって、異なる箇所のみについて説明し、その他の共通する部分（ステップＳ１〜Ｓ１８及びステップＳ２２〜Ｓ２５）は同一符号を付して、詳細な説明を省略する。
【０１０９】
ステップＳ１８の処理が終了すると、撮影装置２ｂのＣＰＵ２１１は、結果送信プログラム２１３３ｂを実行して、ステップＳ１８で得られた判定結果と、ステップＳ１１で読み取られたＩＤ番号と、ステップＳ１７で撮影された第２の顔画像と、を管理端末装置４及びＩＤカード作成装置３ｂに送信する（ステップＳ２１ｂ）。
【０１１０】
ステップＳ２５の処理が終了すると、ＩＤカード作成装置３ｂのＣＰＵ３１１は、ステップＳ２４で受信した判定結果が、ＩＤカードの再発行を申請した申請者が本人である旨の判定結果であったか、本人でない旨の判定結果であったか、を判別する（ステップＳ２６ｂ）。
【０１１１】
ステップＳ２６ｂで、ＩＤカードの再発行を申請した申請者が本人である旨の判定結果であったと判別すると（ステップＳ２６ｂ；Ｙｅｓ）、ＣＰＵ３１１は、本処理を終了する。
【０１１２】
一方、ステップＳ２６ｂで、ＩＤカードの再発行を申請した申請者が本人でない旨の判定結果であったと判別すると（ステップＳ２６ｂ；Ｎｏ）、ＣＰＵ３１１は、ＩＤカード加工装置３３ｂを制御して、ステップＳ２５で作成されたＩＤカードに、所定の加工を施し（ステップＳ２７ｂ）、本処理を終了する。
【０１１３】
＜申請者確認処理＞
次に、ＩＤカード再発行システム１０００ｂにおける、ＩＤカードの再発行を申請した申請者の確認に関する処理について説明する。
【０１１４】
ここで、申請者確認処理は、管理端末装置４のオペレータ（作成されたＩＤカードを交付する者）が、作成されたＩＤカードを申請者に交付して再発行する際に、再発行するＩＤカード作成処理（図７）において本人でないと判定された申請者を、入念に確認するための処理である。
具体的には、例えば、管理端末装置４が設置された場所に、撮影装置２ｂが設置された場所から申請書（再発行するＩＤカード作成処理（図７）においてＩＤ番号が読み取られた申請書）が運ばれ、ＩＤカード作成装置３ｂが設置された場所からＩＤカード（再発行するＩＤカード作成処理（図７）において作成されて申請者が本人であるか否かが識別可能となるように加工されたＩＤカード）が運ばれる。そして、管理端末装置４のオペレータは、申請書とＩＤカードとをつき合せて、ＩＤカードにプリントされた画像（顔画像や個人情報に基づく画像など）などを確認しながら、申請者にＩＤカードを交付して再発行する。この際、管理端末装置４のオペレータは、例えば、ＩＤカードに加工が施されている場合（すなわち、再発行するＩＤカード作成処理（図７）において申請者が本人でないと判定された場合）は、当該申請者確認処理を行って、当該ＩＤカードを交付すべき申請者を入念に確認して、当該申請者にＩＤカードを交付して再発行するか否かを判断する。
【０１１５】
なお、ＩＤカード再発行システム１０００ｂにおける、ＩＤカードの再発行を申請した申請者の確認に関する処理は、ＩＤカード再発行システム１０００における、ＩＤカードの再発行を申請した申請者の確認に関する処理（図３）と略同一であるため、詳細な説明を省略する。
ただし、ステップＳ３１（図３）では、主に、加工が施されたＩＤカードにプリントされたＩＤ番号が入力されることとなる。
【０１１６】
以上説明した第３の実施の形態のＩＤカード再発行システム１０００ｂによれば、ＩＤカード作成装置３ｂが備えるＩＤカード加工装置３３ｂにより、申請者が本人であるか否かが識別可能となるように、当該申請者の第２の顔画像をプリントして作成したＩＤカードに加工を施すことができるため、オペレータに対して、確実に、申請者が本人であるか否かを認識させることができる。また、判定プログラム２１３２を実行したＣＰＵ２１１により申請者が本人でないと判定されても、ＩＤカードの再発行処理は続行される。したがって、ＩＤカードの再発行処理の効率が低下することなく、且つ、不正なＩＤカードの再発行を防止することができる。
【０１１７】
また、管理端末装置４が備えるＩＤ番号入力装置４２により申請者のＩＤ番号が入力されると、管理端末装置４が備える表示装置４３に、当該申請者の第１の顔画像や当該申請者の第２の顔画像などが表示されるため、オペレータは、入念に、申請者が本人であるか否かを確認することができる。したがって、より確実に、不正なＩＤカードの再発行を防止することができる。
【０１１８】
[第４の実施の形態]
次に、第４の実施の形態について説明する。
【０１１９】
＜ＩＤカード再発行システムの構成＞
まず、ＩＤカード再発行システム１０００ｃの構成を、図８を参照して説明する。
なお、第４の実施の形態のＩＤカード再発行システム１０００ｃは、申請者が本人であるか否かが識別可能となるように作成されたＩＤカードを分別する点においてのみ第３の実施の形態のＩＤカード再発行システム１０００ｂ（図６）と異なり、具体的には、ＩＤカード再発行システム１０００ｂ（図６）におけるＩＤカード作成装置３ｂの構成の一部が異なる。したがって、異なる箇所のみについて説明し、その他の共通する部分は同一符号を付して説明する。
【０１２０】
ＩＤカード再発行システム１０００ｃは、例えば、図８に示すように、記憶サーバ１１を接続したホストコンピュータ１、撮影装置２ｂ、ＩＤカード作成装置３ｃ、管理端末装置４などを備えて構成される。ホストコンピュータ１と、撮影装置２ｂと、ＩＤカード作成装置３ｃと、管理端末装置４とは、ネットワークを介して接続されており、互いに通信可能となっている。
【０１２１】
ＩＤカード作成装置３ｃは、例えば、図８に示すように、ＥＷＳ３１、プリント装置３２、分別手段としてのＩＤカード分別装置３４ｃなどを備えている。そして、ＩＤカード作成装置３ｃは、ＥＷＳ３１によってネットワークに接続されている。
【０１２２】
ＩＤカード分別装置３４ｃは、分別手段として、撮影装置２ｂの結果送信プログラム２１３３ｂを実行したＣＰＵ２１１により送信された判定結果に基づいて、本人であると判定された申請者の第２の顔画像をプリントして作成したＩＤカードと、本人でないと判定された申請者の第２の顔画像をプリントして作成したＩＤカードと、を識別可能に分別する。
具体的には、ＩＤカード分別装置３４ｃは、例えば、『本人トレイ』及び『偽者トレイ』を備えている。そして、ＩＤカード分別装置３４ｃは、ＣＰＵ３１１からの制御に従って、例えば、撮影装置２ｂからＩＤカードの再発行を申請した申請者が本人である旨の判定結果を受信した場合には、当該判定結果とともに受信した第２の顔画像をプリントして作成したＩＤカードを、『本人トレイ』に収容する。一方、撮影装置２ｂからＩＤカードの再発行を申請した申請者が本人でない旨の判定結果を受信した場合には、ＩＤカード分別装置３４ｃは、当該判定結果とともに受信した第２の顔画像をプリントして作成したＩＤカードを、『偽者トレイ』に収容する。
【０１２３】
＜処理＞
次に、ＩＤカード再発行システム１０００ｃにおける処理（再発行するＩＤカード作成処理、申請者確認処理）について説明する。
【０１２４】
＜再発行するＩＤカード作成処理＞
まず、ＩＤカード再発行システム１０００ｃにおける、再発行するＩＤカードの作成に関する処理について、図９のフローチャートを参照して説明する。
なお、ＩＤカード再発行システム１０００ｃにおける、再発行するＩＤカードの作成に関する処理は、ＩＤカード再発行システム１０００ｂにおける、再発行するＩＤカードの作成に関する処理（図７）と共通する部分がある。したがって、異なる箇所のみについて説明し、その他の共通する部分（ステップＳ１〜Ｓ１８、ステップＳ２１ｂ、ステップＳ２２〜Ｓ２５及びステップＳ２６ｂ）は同一符号を付して、詳細な説明を省略する。
【０１２５】
ステップＳ２６ｂで、ステップＳ２４で受信した判定結果が、ＩＤカードの再発行を申請した申請者が本人である旨の判定結果であったと判別すると（ステップＳ２６ｂ；Ｙｅｓ）、ＩＤカード作成装置３ｃのＣＰＵ３１１は、ＩＤカード分別装置３４ｃを制御して、ステップＳ２５で作成されたＩＤカードを、『本人トレイ』に収容し（ステップＳ２７ｂＡ）、本処理を終了する。
【０１２６】
一方、ステップＳ２６で、ステップＳ２４で受信した判定結果が、ＩＤカードの再発行を申請した申請者が本人でない旨の判定結果であったと判別すると（ステップＳ２６ｂ；Ｎｏ）、ＩＤカード作成装置３ｃのＣＰＵ３１１は、ＩＤカード分別装置３４ｃを制御して、ステップＳ２５で作成されたＩＤカードを、『偽者トレイ』に収容し（ステップＳ２７ｂＢ）、本処理を終了する。
【０１２７】
＜申請者確認処理＞
次に、ＩＤカード再発行システム１０００ｃにおける、ＩＤカードの再発行を申請した申請者の確認に関する処理について説明する。
【０１２８】
ここで、申請者確認処理は、管理端末装置４のオペレータ（作成されたＩＤカードを交付する者）が、作成されたＩＤカードを申請者に交付して再発行する際に、再発行するＩＤカード作成処理（図９）において本人でないと判定された申請者を、入念に確認するための処理である。
具体的には、例えば、管理端末装置４が設置された場所に、撮影装置２ｂが設置された場所から申請書（再発行するＩＤカード作成処理（図９）においてＩＤ番号が読み取られた申請書）が運ばれ、ＩＤカード作成装置３ｃが設置された場所からＩＤカード（再発行するＩＤカード作成処理（図９）において作成されて申請者が本人であるか否かが識別可能となるように分別されたＩＤカード）が運ばれる。そして、管理端末装置４のオペレータは、申請書とＩＤカードとをつき合せて、ＩＤカードにプリントされた画像（顔画像や個人情報に基づく画像など）などを確認しながら、申請者にＩＤカードを交付して再発行する。この際、管理端末装置４のオペレータは、例えば、ＩＤカードが『偽者トレイ』に収容されている場合（すなわち、再発行するＩＤカード作成処理（図９）において申請者が本人でないと判定された場合）は、当該申請者確認処理を行って、当該ＩＤカードを交付すべき申請者を入念に確認して、当該申請者にＩＤカードを交付して再発行するか否かを判断する。
【０１２９】
なお、ＩＤカード再発行システム１０００ｃにおける、ＩＤカードの再発行を申請した申請者の確認に関する処理は、ＩＤカード再発行システム１０００における、ＩＤカードの再発行を申請した申請者の確認に関する処理（図３）と略同一であるため、詳細な説明を省略する。
ただし、ステップＳ３１（図３）では、主に、『偽者トレイ』に収容されたＩＤカードにプリントされたＩＤ番号が入力されることとなる。
【０１３０】
以上説明した第４の実施の形態のＩＤカード再発行システム１０００ｃによれば、ＩＤカード作成装置３ｃが備えるＩＤカード分別装置３４ｃにより、申請者が本人であるか否かが識別可能となるように、当該申請者の第２の顔画像をプリントして作成したＩＤカードを分別することができるため、オペレータに対して、確実に、申請者が本人であるか否かを認識させることができる。また、判定プログラム２１３２を実行したＣＰＵ２１１により申請者が本人でないと判定されても、ＩＤカードの再発行処理は続行される。したがって、ＩＤカードの再発行処理の効率が低下することなく、且つ、不正なＩＤカードの再発行を防止することができる。
【０１３１】
また、管理端末装置４が備えるＩＤ番号入力装置４２により申請者のＩＤ番号が入力されると、管理端末装置４が備える表示装置４３に、当該申請者の第１の顔画像や当該申請者の第２の顔画像などが表示されるため、オペレータは、入念に、申請者が本人であるか否かを確認することができる。したがって、より確実に、不正なＩＤカードの再発行を防止することができる。
【０１３２】
[第５の実施の形態]
次に、第５の実施の形態について説明する。
【０１３３】
＜ＩＤカード再発行システムの構成＞
まず、ＩＤカード再発行システム１０００ｄの構成を、図１０を参照して説明する。
なお、第５の実施の形態のＩＤカード再発行システム１０００ｄは、申請者が本人であるか否かを表示装置４３に表示する点においてのみ第１の実施の形態のＩＤカード再発行システム１０００（図１）と異なり、具体的には、ＩＤカード再発行システム１０００（図１）における撮影装置２及び管理端末装置４の構成の一部が異なる。したがって、異なる箇所のみについて説明し、その他の共通する部分は同一符号を付して説明する。
【０１３４】
ＩＤカード再発行システム１０００ｄは、例えば、図１０に示すように、記憶サーバ１１を接続するホストコンピュータ１、撮影装置２ｄ、ＩＤカード作成装置３、管理端末装置４ｄなどを備えて構成される。ホストコンピュータ１と、撮影装置２ｄと、ＩＤカード作成装置３と、管理端末装置４ｄとは、ネットワークを介して接続されており、互いに通信可能となっている。
【０１３５】
撮影装置２ｄは、例えば、図１０に示すように、ＥＷＳ２１、画像処理装置２２、ＩＤ番号読取装置２３などを備えている。そして、撮影装置２ｄは、ＥＷＳ２１によってネットワークに接続されている。
【０１３６】
管理端末装置４ｄは、例えば、図１０に示すように、ＥＷＳ４１ｄ、ＩＤ番号入力装置４２、表示装置４３などを備えている。そして、管理端末装置４ｄは、ＥＷＳ４１ｄによってネットワークに接続されている。
ここで、管理端末装置４ｄは、例えば、ＩＤカード作成装置３により作成されたＩＤカードを、申請者に交付して再発行する場所に設置されている。
【０１３７】
ＥＷＳ４１ｄは、例えば、図１０に示すように、ＣＰＵ４１１、ＲＡＭ４１２、記憶部４１３ｄなどを備えている。
【０１３８】
記憶部４１３ｄには、例えば、図１０に示すように、判定結果データベース４１３１、第２の要求プログラム４１３２、取得プログラム４１３３、出力制御プログラム４１３４ｄなどが格納されている。
【０１３９】
出力制御プログラム４１３４ｄは、ＣＰＵ４１１に、撮影装置２ｄの結果送信プログラム２１３３を実行したＣＰＵ２１１により送信された判定結果及びＩＤ番号を表示装置４３に出力して表示させる機能を実現させる。
具体的には、ＣＰＵ４１１は、出力制御プログラム４１３４ｄを実行して、例えば、表示装置４３に、判定結果とＩＤ番号とが対応付けられたリストを表示させる。
また、出力制御プログラム４１３４ｄは、ＣＰＵ４１１に、ＩＤ番号入力装置４２により入力されたＩＤ番号と、第２の要求プログラム４１３２を実行したＣＰＵ４１１による要求に従って記憶サーバ１１を接続するホストコンピュータ１から送信された第１の顔画像と、取得プログラム４１３３を実行したＣＰＵ４１１により取得された判定結果及び第２の顔画像と、を表示装置４３に出力して表示させる機能を実現させる。
ＣＰＵ４１１は、かかる出力制御プログラム４１３４ｄを実行することによって、出力制御手段及び第２の出力制御手段として機能する。
【０１４０】
＜処理＞
次に、ＩＤカード再発行システム１０００ｄにおける処理（再発行するＩＤカード作成処理、申請者確認処理）について説明する。
【０１４１】
＜再発行するＩＤカード作成処理＞
まず、ＩＤカード再発行システム１０００ｄにおける、再発行するＩＤカードの作成に関する処理について、図１１のフローチャートを参照して説明する。
なお、ＩＤカード再発行システム１０００ｄにおける、再発行するＩＤカードの作成に関する処理は、ＩＤカード再発行システム１０００における、再発行するＩＤカードの作成に関する処理（図２）と共通する部分がある。したがって、異なる箇所のみについて説明し、その他の共通する部分（ステップＳ１〜Ｓ１８、ステップＳ２１〜Ｓ２５）は同一符号を付して、詳細な説明は省略する。
【０１４２】
ステップＳ２３の処理が終了すると、管理端末装置４ｄのＣＰＵ４１１は、出力制御プログラム４１３４ｄを実行して、表示装置４３に、ステップＳ２２で受信した判定結果及びＩＤ番号を表示させ（ステップＳ２８ｄ）、本処理を終了する。
【０１４３】
＜申請者確認処理＞
次に、ＩＤカード再発行システム１０００ｄにおける、ＩＤカードの再発行を申請した申請者の確認に関する処理について説明する。
【０１４４】
ここで、申請者確認処理は、管理端末装置４ｄのオペレータ（作成されたＩＤカードを交付する者）が、作成されたＩＤカードを申請者に交付して再発行する際に、再発行するＩＤカード作成処理（図１１）において本人でないと判定された申請者を、入念に確認するための処理である。
具体的には、例えば、管理端末装置４ｄが設置された場所に、撮影装置２ｄが設置された場所から申請書（再発行するＩＤカード作成処理（図１１）においてＩＤ番号が読み取られた申請書）が運ばれ、ＩＤカード作成装置３が設置された場所からＩＤカード（再発行するＩＤカード作成処理（図１１）において作成されたＩＤカード）が運ばれる。そして、管理端末装置４ｄのオペレータは、申請書とＩＤカードとＩＤ番号（再発行するＩＤカード作成処理（図１１）において表示装置４３に表示されたＩＤ番号）とをつき合せて、ＩＤカードにプリントされた画像（顔画像や個人情報に基づく画像など）などを確認しながら、申請者にＩＤカードを交付して再発行する。この際、管理端末装置４ｄのオペレータは、例えば、表示装置４３に表示されたＩＤ番号が、申請者が本人でない旨の判定結果とともに表示されている場合（すなわち、再発行するＩＤカード作成処理（図１１）において申請者が本人でないと判定された場合）は、当該申請者確認処理を行って、当該ＩＤ番号の申請者を入念に確認して、当該申請者にＩＤカードを交付して再発行するか否かを判断する。
【０１４５】
なお、ＩＤカード再発行システム１０００ｄにおける、ＩＤカードの再発行を申請した申請者の確認に関する処理は、ＩＤカード再発行システム１０００における、ＩＤカードの再発行を申請した申請者の確認に関する処理（図３）と略同一であるため、詳細な説明を省略する。
ただし、ステップＳ３１（図３）では、主に、表示装置４３に、申請者が本人でない旨の判定結果とともに表示されたＩＤ番号が入力されることとなる。
【０１４６】
以上説明した第５の実施の形態のＩＤカード再発行システム１０００ｄによれば、出力制御プログラム４１３４ｄを実行したＣＰＵ４１１により、管理端末装置４ｄが備える表示装置４３に、申請者が本人であるか否かの判定結果と当該申請者のＩＤ番号を表示させることができるため、オペレータに対して、確実に、申請者が本人であるか否かを認識させることができる。また、判定プログラム２１３２を実行したＣＰＵ２１１により申請者が本人でないと判定されても、ＩＤカードの再発行処理は続行される。したがって、ＩＤカードの再発行処理の効率が低下することなく、且つ、不正なＩＤカードの再発行を防止することができる。
【０１４７】
また、管理端末装置４ｄが備えるＩＤ番号入力装置４２により申請者のＩＤ番号が入力されると、管理端末装置４ｄが備える表示装置４３に、当該申請者の第１の顔画像や当該申請者の第２の顔画像などが表示されるため、オペレータは、入念に、申請者が本人であるか否かを確認することができる。したがって、より確実に、不正なＩＤカードの再発行を防止することができる。
【０１４８】
なお、本発明は、上記した実施の形態のものに限るものではなく、その要旨を逸脱しない範囲で適宜変更可能である。
第１〜第５の実施の形態において、再発行するＩＤカード作成処理（図２，５，７，９，１１）で、撮影装置（撮影装置２，２ａ，２ｂ，２ｄ）から管理端末装置（管理端末装置４，４ｄ）に、判定結果、ＩＤ番号及び第２の顔画像が送信され、申請者確認処理（図３）で、管理端末装置（管理端末装置４，４ｄ）が、記憶サーバ１１を接続するホストコンピュータ１に第１の顔画像を送信するよう要求する構成としたが、例えば、再発行するＩＤカード作成処理の際に、撮影装置が、判定結果、ＩＤ番号及び第２の顔画像とともに、記憶サーバ１１を接続するホストコンピュータ１から受信した第１の顔画像を、管理端末装置に送信する構成にしてもよい。
【０１４９】
第５の実施の形態において、表示装置４３に、判定結果とＩＤ番号とを表示するようにしたが、申請者が本人である旨の判定結果とともに表示されるＩＤ番号と、申請者が本人でない旨の判定結果とともに表示されるＩＤ番号と、が識別可能となるように表示するようにしてもよい。具体的には、例えば、申請者が本人である旨の判定結果とともに表示されるＩＤ番号と申請者が本人でない旨の判定結果とともに表示されるＩＤ番号とで色を変えたり、申請者が本人でない旨の判定結果とともに表示されるＩＤ番号のみに下線を引くなどして、表示するようにしてもよい。
【０１５０】
第１〜第５の実施の形態において、申請者が本人であるか否かのみを判定するようにしたが、例えば、第１の顔画像と第２の顔画像との不一致の度合いなどに基づいて、申請者が偽者である確率なども判定するようにしてもよい。そして、当該確率別に、申請書やＩＤカードに施す加工を変えたり、申請書やＩＤカードを分別したり、表示装置４３に表示するＩＤ番号の色を変えるようにしてもよい。
【０１５１】
第１〜第５の実施の形態において、撮影装置（撮影装置２，２ａ，２ｂ，２ｄ）が、ＩＤカードの再発行を申請した申請者が本人であるか否かを判定する構成としたが、ホストコンピュータ１が、ＩＤカードの再発行を申請した申請者が本人であるか否かを判定する構成としてもよい。また、第３及び第４の実施の形態においては、ＩＤカード作成装置（ＩＤカード作成装置３ｂ，３ｃ）が、ＩＤカードの再発行を申請した申請者が本人であるか否かを判定する構成としてもよい。
【０１５２】
第５の実施の形態において、管理端末装置４ｄに、出力手段として表示装置４３を備えるようにしたが、例えば、表示装置４３に加えて、出力手段としてプリント装置などを備えるようにしてもよい。そして、例えば、当該プリント装置から、判定結果とＩＤ番号とが対応付けられたリストをプリントするようにしてもよい。
【０１５３】
第１の実施の形態におけるＩＤ番号読取装置２３と申請書加工装置２４、第２の実施の形態におけるＩＤ番号読取装置２３と申請書分別装置２５ａ、第３の実施の形態におけるプリント装置３２とＩＤカード加工装置３３ｂ、第４の実施の形態におけるプリント装置３２とＩＤカード分別装置３４ｃは、一体化されていてもよい。
【図面の簡単な説明】
【０１５４】
【図１】本発明の第１の実施の形態における、ＩＤカード再発行システムの全体構成を示す図である。
【図２】本発明の第１の実施の形態における、ＩＤカード再発行システムにおける、再発行するＩＤカードの作成に関する処理を説明するためのフローチャートである。
【図３】本発明の第１〜第５の実施の形態における、ＩＤカード再発行システムにおける、ＩＤカードの再発行を申請した申請者の確認に関する処理を説明するためのフローチャートである。
【図４】本発明の第２の実施の形態における、ＩＤカード再発行システムの全体構成を示す図である。
【図５】本発明の第２の実施の形態における、ＩＤカード再発行システムにおける、再発行するＩＤカードの作成に関する処理を説明するためのフローチャートである。
【図６】本発明の第３の実施の形態における、ＩＤカード再発行システムの全体構成を示す図である。
【図７】本発明の第３の実施の形態における、ＩＤカード再発行システムにおける、再発行するＩＤカードの作成に関する処理を説明するためのフローチャートである。
【図８】本発明の第４の実施の形態における、ＩＤカード再発行システムの全体構成を示す図である。
【図９】本発明の第４の実施の形態における、ＩＤカード再発行システムにおける、再発行するＩＤカードの作成に関する処理を説明するためのフローチャートである。
【図１０】本発明の第５の実施の形態における、ＩＤカード再発行システムの全体構成を示す図である。
【図１１】本発明の第５の実施の形態における、ＩＤカード再発行システムにおける、再発行するＩＤカードの作成に関する処理を説明するためのフローチャートである。
【符号の説明】
【０１５５】
１  ホストコンピュータ（記憶装置）
１１  記憶サーバ（記憶装置）
２，２ａ，２ｂ，２ｄ  撮影装置
２３  ＩＤ番号読取装置（読取手段）
２４  申請書加工装置（加工手段）
２５ａ  申請書分別装置（分別手段）
２１１  ＣＰＵ（要求手段、判定手段、結果送信手段、第２の結果送信手段）
２１３１  要求プログラム（要求手段）
２１３２  判定プログラム（判定手段）
２１３３  結果送信プログラム（結果送信手段）
２１３３ｂ  結果送信プログラム（結果送信手段、第２の結果送信手段）
３，３ｂ，３ｃ  ＩＤカード作成装置
３３ｂ  ＩＤカード加工装置（加工手段）
３４ｃ  ＩＤカード分別装置（分別手段）
４，４ｄ  管理端末装置
４２  ＩＤ番号入力装置（入力手段）
４３  表示装置（出力手段）
４１１  ＣＰＵ（第２の要求手段、取得手段、出力制御手段、第２の出力制御手段）
４１３１  判定結果データベース（判定結果記憶手段）
４１３２  第２の要求プログラム（第２の要求手段）
４１３３  取得プログラム（取得手段）
４１３４  出力制御プログラム（出力制御手段）
４１３４ｄ  出力制御プログラム（出力制御手段、第２の出力制御手段）
１０００，１０００ａ，１０００ｂ，１０００ｃ，１０００ｄ  ＩＤカード再発行システム
【図１】
2006334986.tif 000003
【図２】
2006334986.tif 000004
【図３】
2006334986.tif 000005
【図４】
2006334986.tif 000006
【図５】
2006334986.tif 000007
【図６】
2006334986.tif 000008
【図７】
2006334986.tif 000009
【図８】
2006334986.tif 000010
【図９】
2006334986.tif 000011
【図１０】
2006334986.tif 000012
【図１１】
2006334986.tif 000013